(57)【要約】【課題】突出長さを抑えると共に、安価で施工性が高く、見栄えの良い壁内蔵型給水栓を提案する。【解決手段】給水配管を接続可能な継手機構を有する継手部に、内部に通水路を有するエルボ型の継手胴部を一体に延設し、該継手胴部の取付口に給水部を取り付けてなり、給水部は、筒状体の同軸上に、それぞれ透孔を有する一対のセラミック製ディスク弁を介して流路を制御する開閉及び流量調整機構と、開閉及び流量調整機構の操作杆と連動するハンドルと、開閉及び流量調整機構と連通し、給水ホースを接続可能な吐水口とを連続して一体に設けた。セラミック製ディスク弁は、摺動可能に密接する一対の固定ディスク及び回転ディスクと、該回転ディスクの操作杆とからなり、固定ディスク及び回転ディスクはそれぞれ透孔を有し、操作杆の回動による透孔の重なり度合いによって流路を開閉及び流量調整可能とした。【選択図】図１
2010013864.tif 000002
【特許請求の範囲】
【請求項１】
給水配管を接続可能な継手機構を有する継手部に、内部に通水路を有するエルボ型の継手胴部を一体に延設し、該継手胴部の取付口に給水部を取り付けてなり、該給水部は、筒状体の同軸上に、それぞれ透孔を有する一対のセラミック製ディスク弁を介して流路を制御する開閉及び流量調整機構と、該開閉及び流量調整機構の操作杆と連動するハンドルと、上記開閉及び流量調整機構と連通し、給水ホースを接続可能な吐水口とを連続して一体に設けたものであることを特徴とする壁内蔵型給水栓。
【請求項２】
上記セラミック製ディスク弁が、摺動可能に密接する一対の固定ディスク及び回転ディスクと、該回転ディスクの操作杆とからなり、固定ディスク及び回転ディスクはそれぞれ透孔を有し、操作杆の回動による透孔の重なり度合いによって流路を開閉及び流量調整可能としたものである請求項１記載の壁内蔵型給水栓。
【請求項３】
上記継手機構が、ワンタッチ継手を有するものである、請求項１又は請求項２記載の壁内蔵型給水栓。
【請求項４】
上記吐水口が、逆流防止機能、又は／及び、緊急止水機能を有するものである、請求項１から請求項３のいずれか１項記載の壁内蔵型給水栓。
【請求項５】
壁面に埋設して取付可能な取付けボックスの下端面に設ける管挿通孔に給水配管を挿通し、上記請求項１から請求項４のいずれか１項記載の壁内蔵型給水栓の継手機構に前記給水配管の先端を挿着すると共に、該壁内蔵型給水栓を取付けボックスの背面に固定し、ハンドルと吐水口のみを露出させて化粧カバーを設けることを特徴とする壁内蔵型給水栓の取付構造。
【請求項６】
取付けボックスの下端面は手前側に僅かに低く傾斜した形状を有すると共に、上記管挿通孔にシールパッキンを介して給水配管を挿通するものである請求項５記載の壁内蔵型給水栓の取付構造。
【発明の詳細な説明】
【技術分野】
【０００１】
この発明は、家屋の壁面に一部埋設される給水栓に関するもので、小型化と製造コストの低減を図ると共に、取り付けが簡単で、外観の見栄えが良い壁内蔵型給水栓を提案するものである。
【背景技術】
【０００２】
従来の給水栓は、例えば、特許文献１の図４に示された蛇口に代表されるように、弁構造やつまみ、吐水口等が全部壁面から突出したものであった。そのため審美性に欠け、近年の住宅デザインには適合しないものであった。また、壁面から突出して取り付けるため、壁面内の配管のエルボ継手と接続するのに手間を要し、必ずしも施工性がよいとはいえなかった。また、恒久的に取り付けられるため、一旦取り付けるとそのメンテナンスが困難で、経年劣化等により漏水を生じても、その修理は容易ではなかった。
【０００３】
そのため、特許文献１や特許文献２に開示されているような、壁内蔵型給水栓や水道用コンセントなどが提案されている。
【０００４】
例えば、特許文献１に提示されているものは、その請求項１の記載によれば、壁面に穿孔した円形の取付口を介して水道管の継手に接続する給水栓であって、前記継手への接続部を備えると共に、該接続部とは反対側に止水栓部及び吐水部を並列状に設けてなる本体と、該本体を内部に収容固定し、且つ、前記取付口に挿入可能な円筒部からなる取付けベースとによって給水栓が構成されている。そしてこの給水栓は、本体は取付けベースと共に壁面に穿孔した円形取付口に収容され、しかも、止水栓部と吐水部は本体の同一面側に位置するように設けているため、壁面からの出っ張りが小さい給水栓を構成することができたものである。また、止水栓部および吐水部の特殊な配置により、従来にない独自の審美性を印象づけている。
【０００５】
また、特許文献２に提示されているものは、その請求項１の記載によれば、壁または床に形成された貫通穴に嵌め込み可能で、流入口、流出口および弁体を有する水栓本体が内蔵された収容部およびこの収容部の前部に設けられる前部材よりなり、この前部材に少なくとも二つの開口を有するとともに、前記壁または床の裏面側に位置する配管と前記水栓本体を連通させるために用いられる開口を前記収容部に有してなるハウジングと、前記収容部内に設けられ、下流端が前記水栓本体の前記流入口に接続される一方、上流端が前記収容部の前記開口を介して前記配管に接続される継手部材と、前記前部材の一方の開口に配置され前記水栓本体の流出口から流出可能な水または湯の流量を調整するための流量調整ハンドルと、前記水栓本体の前記流出口に固定されるとともに前記前部材の他方の開口に配置され、ホースの上流端に設けられた継手部材が着脱自在である継手部とを備えたものである。そしてこれによれば、簡単な施工で壁に水道用コンセントを設置できるものである。
【０００６】
【特許文献１】特開２００３−９６８４２号公報
【特許文献２】特開２００２−３３９４１３号公報
【発明の開示】
【発明が解決しようとする課題】
【０００７】
上述した従来の壁内蔵型給水栓は、確かに、施工が比較的容易であるとともに、壁面からの突出部分が少なく、見栄えも悪くない。しかしながら、給水栓自体の構造についてみると、止水栓部（ハンドル）と吐水部が別軸に設けられているので、本体内部の通水路が複雑で、大型の形状になっている。そのため、製造コストが高価なものとなるとともに、全体の大きさが大きくなり、その点で見栄えが劣るものとなっていた。また、施工時に、仕上げ壁開口寸法がどうしても大きくなっていた。
【０００８】
本発明は、かかる現状に鑑みてなされたものであり、開閉及び流量調整機構、ハンドル、吐水口等を筒状体に一体に設け、且つ、突出長さを抑えた新たな給水栓の構造を提案すると共に、安価で施工性の高い、また、見栄えの良い壁内蔵型給水栓を開示するものである。
【課題を解決するための手段】
【０００９】
上記課題を解決するため、本発明は、壁内蔵型給水栓の構造として、給水配管を接続可能な継手機構を有する継手部に、内部に通水路を有するエルボ型の継手胴部を一体に延設し、該継手胴部の取付口に給水部を取り付けてなり、該給水部は、筒状体の同軸上に、それぞれ透孔を有する一対のセラミック製ディスク弁を介して流路を制御する開閉及び流量調整機構と、該開閉及び流量調整機構の操作杆と連動するハンドルと、上記開閉及び流量調整機構と連通し、給水ホースを接続可能な吐水口とを連続して一体に設けたものであるという手段を採用した。
【００１０】
また、上記セラミック製ディスク弁が、摺動可能に密接する一対の固定ディスク及び回転ディスクと、該回転ディスクの操作杆とからなり、固定ディスク及び回転ディスクはそれぞれ透孔を有し、操作杆の回動による透孔の重なり度合いによって流路を開閉及び流量調整可能としたものであるという手段を採用した。
【００１１】
さらに、上記継手機構が、ワンタッチ継手を有するものであるという手段を採用した。
【００１２】
また、上記吐水口が、逆流防止機能、又は／及び、緊急止水機能を有するものであるという手段を採用した。
【００１３】
上記構成の壁内蔵型給水栓は、給水配管を継手機構に差し込むだけで簡単に接続可能であると共に、ハンドルの僅かな操作により給水栓の開閉や流量調整が可能となるものである。また、逆流防止機能や緊急止水機能を採用することにより、安全性が高まった。
【００１４】
また、壁内蔵型給水栓の取付構造として、壁面に埋設して取付可能な取付けボックスの下端面に設ける管挿通孔に給水配管を挿通し、上記壁内蔵型給水栓の継手機構に前記給水配管の先端を挿着すると共に、該壁内蔵型給水栓を取付けボックスの背面に固定し、ハンドルと吐水口のみを露出させて化粧カバーを設けるという構造を採用した。
【００１５】
また、取付けボックスの下端面は手前側に僅かに低く傾斜した形状を有すると共に、上記管挿通孔にシールパッキンを介して給水配管を挿通するという構造も採用した。
【００１６】
上記構造によれば、継手機構等に漏水が生じた場合にも、シールパッキンが壁内部に漏水が流れることを防止するものである。
【発明の効果】
【００１７】
上記構成の本発明に係る壁内蔵型給水栓は、垂直の継手部に、エルボ型の継手胴部を介して、開閉及び流量調整機構、ハンドル、吐水口を筒状体の同軸上に一体に連設した給水部を水平に取り付けたものであるから、壁面からの突出を少なくすることが可能となった上、施工性が高く、取付時に大きなスペースを必要としないものである。
【００１８】
また、全体を構成する部品点数を減少させたものであるので、製造コストの大幅な低減を実現できるものである。
【００１９】
さらに、ハンドルの僅かな操作で、給水の開閉及び流量調整が可能となり、利便性が向上したものである。
【００２０】
また、その取付構造は、取付けボックス内に挿通した給水配管を継手機構に挿着するだけであるから、施工やメンテナンスが容易となり、漏水の発見等も容易となった。そのため、例えば、「住宅の品質確保の促進等に関する法律」に基づく住宅性能表示制度において、高い評価等級を得ることができ、付随的な効果として、住宅の価値を高めることができた。
【００２１】
また、取付けボックスに傾斜を設けると共に、管挿通孔にシールパッキンを介在させているので、仮に継手部分に漏水が生じた場合にも、漏水は取付けボックス内に溜まることになり、容易に漏水を確認できると共に、壁内部に漏れ出すことがないので、該部を汚損することがない。
【発明を実施するための最良の形態】
【００２２】
以下、本発明に係る壁内蔵型給水栓の好ましい実施形態を、添付した図面に従って説明する。図１（Ａ）は、本発明に係る壁内蔵型給水栓を壁面に取付けた状態の側面断面図、同図（Ｂ）は、図（Ａ）の給水栓の給水部の拡大部分断面図である。また、図２（Ａ）は、この給水栓を壁面に取付けた状態の正面図、同図（Ｂ）は、化粧カバーを外した状態の正面図である。
【００２３】
図において、１は給水栓本体であり、垂直に延伸して給水配管（Ｈ）と接続する継手部２と、水平に延伸して各種機器からの給水ホースを接続する給水部３と、この継手部２および給水部３を繋ぐエルボ型の継手胴部４とから構成したものである。５は上記給水栓本体１を収容して壁面（Ｗ）に取り付けるための取付けボックス、６は上記給水部３の一部を露出させた状態で取付けボックス５の表面に設ける化粧カバーである。
【００２４】
上記継手部２は、給水栓本体１の垂直下端に設ける継手機構７からなり、例えば、ワンタッチ継手により給水配管（Ｈ）の端部を挿入するだけで、簡単にこれを保持、固定できるようにしたものである。即ち、この継手機構７は、図示したワンタッチ継手などを始めとする各種のメカニカル継手やネジ取り出しによる継手など、種々のすべての公知の継手を採用することが可能であり、本発明における継手機構７は、それらの各種継手をすべて含む概念である。
【００２５】
この継手部２の上端には、エルボ型の継手胴部４が一体に延設されており、該継手胴部４の内部に直角に折曲して継手部２と給水部３を連通する通水路８が形成されている。この通水路により給水配管（Ｈ）を通ってきた水は水平方向に導かれる。この継手胴部４の水平端部には上記給水部３の取付口９が形成され、Ｏリング１０を介して給水部３を取り付ける。
【００２６】
次に、給水部３の具体的構成について、図１（Ｂ）に示した拡大部分断面図に従って説明する。この給水部３は、全体としては両端部分が連通する複数部品からなる筒状体１１として形成され、下述する各機構を該筒状体１１の同軸上に連続して一体に配して、全体の小型化を図ったものである。即ち、図において、１２は開閉及び流量調整機構で、それぞれ透孔を有する一対のセラミック製ディスクからなるディスク弁１４等を適宜なハウジング１３に収納してなり、パッキン１５を介して、上記継手胴部４の取付口９に連通して接続される。この開閉及び流量調整機構１２により、上記給水配管（Ｈ）から供給される上水の開放・遮断及び流量調整を行う。
【００２７】
このセラミック製のディスク弁１４の基本的な構成の一例を図３について説明すると、１４ａは固定ディスク、１４ｂは回転ディスク、１４ｃは操作杆であり、上述した適宜なハウジング１３に収納されているものである。対となる固定ディスク１４ａ及び回転ディスク１４ｂには、それぞれ四半円形状の透孔１４ｄ、・・・が対角上に穿設されている。両ディスクの対向面は鏡面仕上げがされており、面圧をかけることで密に接合し、且つ摺動可能となっている。この固定ディスク１４ａは下面がパッキン１５と当接し、その弾発力により適当な面圧を受け、上記回転ディスク１４ｂと密に接合するものである。
【００２８】
回転ディスク１４ｂの周縁には切欠１４ｅが設けられ、対応して設けられる操作杆１４ｃの爪１４ｆが係入して、下述するハンドル１６を介して操作杆１４ｃを軸回りに回動させることで、同期して回動する。このとき、両ディスクの透孔１４ｄ、・・・の位置関係により、両透孔１４ｄが完全に一致すれば全面開口となる一方、一部が重なる場合には、その重なり度合いによって通過流量が変動し、完全に不一致の場合は全面閉止となる。これにより流路の開閉及び流量調整が可能となる。上記透孔１４ｄを通過した水は、操作杆１４ｃの中心に設けられる通孔１４ｇを通って吐水口側に流れることになる。なお、このセラミック製ディスク弁の構造は図示したものに限定されるものではなく、例えば透孔１４ｄの形状は任意であり、適宜な操作杆によって回動して開閉可能な従来からある各種ディスク弁を採用することが可能である。
【００２９】
続いて、１６はハンドルであり、給水部３の軸回りに所定範囲（例えば９０度）で回動自在に設け、上記ディスク弁１４の操作杆１４ｃと連結して上記開閉及び流量調整機構１２の開閉動作を行うものである。ハンドル１６の側面には突起部１６ａを突出して設け、ハンドル１６の回動操作を容易とすると共に、前記ディスク弁１４の開閉度合いの確認を可能としている。
【００３０】
１７は、上記開閉及び流量調整機構１２の通孔１４ｇに連通して設けられる吐水口であり、例えば逆止弁１８などから構成される逆流防止機能や、ストッパー１９などから構成される緊急止水機能などを有する構造となっている。即ち、配管側に何らかの故障が生じた場合も、接続機器からの水が逆流しないようにすると共に、接続機器の給水ホースが何らかの要因で外れた場合には、緊急止水機能が作動して、吐水口１７から水が不用意に噴出しないようにしている。この逆流防止機能や緊急止水機能としては、従来からあるものが、適宜採用される。また、この吐水口１７の先端形状は、各種機器からの給水ホースの先端に取り付けるカプラーが容易に着脱可能な、規格化された継手構造が採用されることが好ましい。
【００３１】
上記構成の給水部３は、開閉及び流量調整機構１２、ハンドル１６、吐水口１７を筒状体１１の同軸上に一体に連設しているので、その組立長さは、大型ハンドルを用いる従来品に比べて短くすることができ、壁面に取り付けても大きく突出することがないし、ハンドルと吐水口が並列することもないので、見栄えがよい。
【００３２】
上述したように、本発明の壁内蔵型給水栓は、比較的簡単な構成の継手部２と給水部３と継手胴部４とで構成しているので、全体の部品点数を減少させることが可能になり、製造材料の減少と共に、製造コストの大幅な低減を実現できるものとなっている。さらに、ハンドル１６の僅かな回動操作だけで、給水の開閉及び流量調整が可能となり、使用の利便性が向上したものである。
【００３３】
続いて、上記給水栓の取り付け方法について説明する。壁（Ｗ）の内側には床下から給水配管（Ｈ）が立ち上がっている。この状態で、壁面に埋設して適宜御手段で取り付けた取付けボックス５の下端面の管挿通孔５ａから給水配管（Ｈ）を突出させる。このとき、管挿通孔５ａにはシールパッキン２０を取り付け、給水配管（Ｈ）を水密に保持する。また、取付けボックス５の下端面は手前側に僅かに低く傾斜するような形状を有している。次に、取付けボックス５内に突出している給水配管（Ｈ）の端部に上記継手機構７を介して給水栓本体１を取り付ける。継手機構７にワンタッチ継手を採用すれば、給水配管（Ｈ）の先端部分をワンタッチ継手に差し込むだけの簡単な操作で、容易に接続が完了する。
【００３４】
この状態で、給水栓本体１を取付けボックス５内に納まるように、継手胴部４の取付けフランジ４ａを介して取付けボックス５の背面にネジ止め等により固定する（図２（Ｂ）参照。）。その上から化粧カバー６を嵌着等すれば取り付けは完了し、ハンドル１６と吐水口１７のみを露出して取り付けられることになる（図２（Ａ）参照。）。後は、各種機器の給水ホースを上記吐水口１７に接続するだけである。
【００３５】
上述したように、本発明に係る壁内蔵型給水栓は、継手部２と継手胴部４とを一体に形成すると共に、これから水平に筒状体の同軸上に一体に形成した給水部３を接続してなるので、ハンドル１６と吐水口１７が同軸上に並び、極めてすっきりした外観となると共に、簡単な構成で製造コストを低減できるものである。
【００３６】
また、給水栓本体１を継手機構７を介して給水配管（Ｈ）に直接接続できるので、施工やメンテナンスが容易であると共に、給水配管（Ｈ）と給水栓本体１の接続部分が取付けボックス５内で容易に確認できるので、付随的な効果として、「住宅の品質確保の促進等に関する法律（住宅品確法）」に基づく住宅性能表示制度において、配管の維持管理における評価について、高い評価等級を得ることが可能となり、住宅の価値を高めることができる。
【００３７】
また、継手部２は取付けボックス５内にあり、管挿通孔５ａにシールパッキン２０を介在させているので、仮に継手部２や給水部３の取付部分で漏水を生じたとしても、漏水は取付けボックス５内に溜まることになり、容易に漏水の確認ができる。さらに、取付けボックス５の下端面は手前側に僅かに低く傾斜させた形状であるので、漏水は傾斜面を流れて壁の表側に流れ出てくることになり、容易に漏水が確認できると共に、壁内部に漏れ出さないので、壁内部に腐敗等の悪影響を及ぼさない。
【００３８】
なお、上記実施形態の説明では、給水配管が床下から上方に直立している状態について説明したが、給水配管の方向はこれに限定するものではない。即ち、本発明の給水栓本体は、継手部の軸方向と、給水部の軸方向とが直交しているから、給水部の軸方向を水平に維持すれば、継手部の軸方向は、その給水部の軸回りの３６０度、いずれの方向にも設定することが出来る。従って、取付けボックスの取付位置を適宜変更することによって、天上からの垂下した配管や、壁の水平方向の配管に対しても、継手部を接続することが可能であり、配管の自由度が高まるものである。
【図面の簡単な説明】
【００３９】
【図１】（Ａ）は、本発明に係る壁内蔵型給水栓を壁面に取付けた状態の側面断面図、同図（Ｂ）は、図（Ａ）の給水栓の給水部の拡大部分断面図である。
【図２】（Ａ）は、この給水栓を壁面に取付けた状態の正面図、同図（Ｂ）は、化粧カバーを外した状態の正面図である。
【図３】セラミック製ディスク弁の基本的な構成の一例を示す分解斜視図である。
【符号の説明】
【００４０】
１    給水栓本体
２    継手部
３    給水部
４    継手胴部
５    取付けボックス
５ａ  管挿通孔
６    化粧カバー
７    継手機構
８    通水路
９    取付口
１０    Ｏリング
１１    筒状体
１２    開閉及び流量調整機構
１３    ハウジング
１４    ディスク弁
１４ａ  固定ディスク
１４ｂ  回転ディスク
１４ｃ  操作杆
１４ｄ  透孔
１５    パッキン
１６    ハンドル
１７    吐水口
１８    逆止弁
１９    ストッパー
２０    シールパッキン
【図１】
2010013864.tif 000003
【図２】
2010013864.tif 000004
【図３】
2010013864.tif 000005